(57)【特許請求の範囲】
【請求項１】
ヒューズ固定用のナットを支持する支持部を一体に成形して成るヒューズ取付部品であって、
前記支持部は、底面が前記ヒューズ取付部品の底面と連続しており、かつ、上面の高さが前記ヒューズ取付部品の上面近傍の高さまで起立しており、
前記支持部のナット固定部位と前記ヒューズ取付部品との間に空間が形成されたことを特徴とするヒューズ取付部品。
【請求項２】
前記ナットが下方に突出部のあるナットであり、前記ナット固定部位には前記ナットの突出部の上方移動を規制する上方移動規制部が形成されていることを特徴とする請求項１記載のヒューズ取付部品。
【請求項３】
ヒューズ固定用の両ナットのうち一方のナットを固定するナット固定部位側のみに前記空間が形成されたことを特徴とする請求項１または２記載のヒューズ取付部品。
【発明の詳細な説明】
【技術分野】
【０００１】
本発明は、電気自動車に使用されるバッテリからの短絡電流や過電流から電気機器を保護するヒューズに関するもので、特に、ヒューズを取り付けるヒューズ取付部品が壊れにくいようにしたヒューズ取付部品に関する。
【背景技術】
【０００２】
〈特許文献１記載のヒューズ取付部品〉
ヒューズの両端子を樹脂成形部品に設けられたナットに固定ねじで取り付けて成るヒューズ取付部品は周知である（例えば、特許文献１参照）。図４は特許文献１記載の発明が行っている従来のヒューズ取付部品を説明する図で、（１）は平面図、（２）は縦断面図である。
図４において、樹脂成形部品であるヒューズ取付部品１００にナットＮが固定されている。このナットＮにヒューズ２０の両端子２０Ｔがそれぞれ固定ねじＢで固定することでヒューズ２０がヒューズ取付部品１００に固定されている。
【先行技術文献】
【特許文献】
【０００３】
【特許文献１】特開平８−２６４１０２号公報
【０００４】
＜特許文献１記載のヒューズ取付部品１００の問題点＞
特許文献１記載のヒューズ取付部品では、ヒューズとヒューズ取付部品のそれぞれの材料の熱膨張率の違いにより、膨張・収縮を繰り返すことによる歪みによりヒューズの内部エレメントに疲労破断が発生することが考えられた。
そうならないためには、ヒューズとヒューズ取付部品のそれぞれの熱膨張率が近いもの同士を材料選択しなければならないので、設計の自由度が下がってしまった。それでも熱膨張率が完全に同じものを選択することは困難で、やはり材料の熱膨張率の違いに起因する歪みによりヒューズの内部エレメントに疲労破断が発生することが考えられた。
【発明の概要】
【発明が解決しようとする課題】
【０００５】
本発明はこの問題点を解決するためになされたもので、ヒューズが膨張・収縮を繰り返しても、ヒューズの内部エレメントに負荷がかからないようにして疲労破断が発生し難いヒューズ取付部品を提供することを目的としている。
【課題を解決するための手段】
【０００６】
前記課題を解決し目的を達成するために、第１発明は、ヒューズ固定用のナットを支持する支持部を一体に成形して成るヒューズ取付部品であって、前記支持部は、底面が前記ヒューズ取付部品の底面と連続しており、かつ、上面の高さが前記ヒューズ取付部品の上面近傍の高さまで起立しており、前記支持部のナット固定部位と前記ヒューズ取付部品との間に空間が形成されたことを特徴としている。
第２発明は、第１発明において、前記ナットが下方に突出部のあるナットであり、前記ナット固定部位には前記ナットの突出部の上方移動を規制する上方移動規制部が形成されていることを特徴としている。
第３発明は、第１または第２発明において、ヒューズ固定用の両ナットのうち一方のナットを固定するナット固定部位側のみに前記空間が形成されたことを特徴としている。
【発明の効果】
【０００７】
第１発明によれば、支持部のナット固定部位とヒューズ取付部品との間に空間が形成されるので、ヒューズが膨張・収縮を繰り返しても、ヒューズ取付部品のナット固定部位がそれに追従して変形できるため、ヒューズの内部エレメントに負荷がかからないようになり、疲労破断が発生し難いものとなる。
また、第２発明によれば、ナットが上方向に移動するのを上方移動規制部が規制するのでヒューズ取付部品にナットが確実に固定されるようになる。
また、第３発明によれば、空間がある側のナット固定部位が変形するため、効果は第１発明と同じであり、したがってヒューズの内部エレメントに負荷がかからないようになり、疲労破断が発生し難いヒューズ取付部品が、簡単にかつコスト安で製造できるようになる。
【図面の簡単な説明】
【０００８】
【図１】図１は本発明の実施例１に係るヒューズ取付部品の縦断面図で、（１）はヒューズを取り付ける前、（２）はヒューズを取り付けた状態を示している。
【図２】図２は図１のヒューズ取付部品のナット部分を示す図で、（１）は平面図、（２）はナットの縦断面図で、（Ａ）は（１）のＡ−Ａ矢視断面、（Ｂ））は（１）のＢ−Ｂ矢視断面である。
【図３】図３は本発明で使用するナットの２例を示す図（１）と（２）で、それぞれ（Ａ）は平面図、（Ｂ）は斜視図である。
【図４】図４は従来のヒューズ取付部品を説明する図で、（１）は平面図、（２）は縦断面図である。
【発明を実施するための形態】
【０００９】
以下、ヒューズとヒューズ取付部品のそれぞれの熱膨張率が違ってもヒューズの内部エレメントに疲労が発生しなくなる本発明に係るヒューズ取付部品について図面を用いて説明する。
【００１０】
〈本発明に係るヒューズ取付部品の構成〉
図１および図２は本発明に係るヒューズ取付部品を説明する図である。図１はヒューズ取付部品の縦断面図で、（１）はヒューズを取り付ける前、（２）はヒューズを取り付けた状態を示している。図２は図１のヒューズ取付部品のナット部分を示す図で、（１）は平面図、（２）はナットの縦断面図で、（Ａ）は（１）のＡ−Ａ矢視断面、（Ｂ）は（１）のＢ−Ｂ矢視断面である。図１および図２において、１０Ｔ１、１０Ｔ２がナットＮをそれぞれ固定する本発明に係る支持部である。支持部１０Ｔ１、１０Ｔ２はそれぞれ２本の係止アームＴ１、Ｔ２から成り、２本の係止アームＴ１、Ｔ２は、図２（１）に見られるように、それぞれヒューズ取付部品１０の平面視で長方形をした空間Ｇの中で長方形の両端近傍にあたる部位に立設されている。そして支持部１０Ｔ１または支持部１０Ｔ２を構成するこれらの２本の係止アームＴ１、Ｔ２の頂部に亘って図３（１）に示すナットＮが図１（２）のように固定支持されている。
【００１１】
〈本発明で使用するナット〉
本発明で使用する図３（１）のナットＮおよび（２）のナットＮ’は本体は普通のナットと同じで、真ん中にネジ孔があけられた略立方体をしており、底部は平ら（直線）である。図３（１）のナットＮおよび（２）のナットＮ’が普通のナットと異なるのは、各四隅の下部に突出部ＮＦが形成されている点である。
そして、図３（１）のナットＮは突出部ＮＦが斜め下方に向けて突出しているのに対して、図３（２）のナットＮ’は突出部ＮＦが底部と同じ面となる水平方向に突出している点で両者は異なっている。
【００１２】
〈本発明に係るナット固定部位１０Ｎ１〉
係止アームＴ１、Ｔ２の上部に形成されたナット固定部位１０Ｎ１は、ナットＮの下方移動を規制するため、ナットＮの底部の直線部に対応する箇所が縦断面で中央へ張り出して形成された下方向移動規制部１０Ｋ（図２（２）（Ａ））と、ナットＮの角の突出部ＮＦの上方移動を規制するため、突出部ＮＦに対応する箇所が縦断面で上方が狭まって形成された上方向移動規制部１０Ｆ（図２（２）（Ｂ））と、を備えている。
【００１３】
〈ナットＮのナット固定部位１０Ｎ１への固定〉
そこで、ナットＮの底部の直線部をナット固定部位１０Ｎ１の下方向移動規制部１０Ｋに係止することによって下方向への移動が規制されることになる（図２（２）（Ａ）参照）。また、ナットＮの角の突出部ＮＦをナット固定部位１０Ｎ１の上方向移動規制部１０Ｆの下に置くことによって上方向への移動が規制されることになる（図２（２）（Ｂ）参照）。
このように、底部の直線部の他に四隅の突出部ＮＦを備えたナットＮと、下方向移動規制部１０Ｋと上方向移動規制部１０Ｆとを備えたナット固定部位１０Ｎ１と、を用いることで、ナットＮがヒューズ取付部品１０に上下方向に固定されることができる。
【００１４】
以上は、図３（１）のナットＮを使用した実施例で説明したが、本発明は図３（２）のナットＮ’を使用しても全く同じように実施することができる。
【００１５】
〈本発明に係るヒューズ取付部品の作用〉
このようにしてヒューズが取り付けられた支持部１０Ｔ１または支持部１０Ｔ２の２本の係止アームＴ１、Ｔ２はそれぞれヒューズ取付部品１０との間に空間Ｇが形成されているので、２本の係止アームＴ１、Ｔ２で構成される支持部１０Ｔ１、１０Ｔ２は互いに結ぶ方向（すなわち、ヒューズの膨張・収縮方向）にそれぞれ変位することができ、したがってまた、支持部１０Ｔ１、１０Ｔ２の上部のナット固定部位１０Ｎ１、１０Ｎ２で支持されているナットＮも膨張・収縮方向に動くことができる。
よって、２個のナットＮに固定されたヒューズ２０の両端子２０Ｔ１、２０Ｔ２（図１（２））は熱膨張差によるヒューズ取付部品１０との相対変位がおきてもヒューズ取付部品１０に動きを拘束されることなく（ストレスなく）膨張・収縮できるようになる。
【００１６】
《膨張時》
膨張時には、ヒューズ２０がヒューズ取付部品１０に対して相対的に膨張すると、ヒューズ２０の両端子２０Ｔ１、２０Ｔ２が支持部１０Ｔ１、１０Ｔ２上のナットＮ−Ｎ間を広げるように作用するが、本発明によればナット固定部位１０Ｎ１、１０Ｎ２が膨張・収縮方向に動くことができるためナットＮ−Ｎ間がヒューズ２０の膨張に追従して広がり、したがってヒューズ２０の両端子２０Ｔ１、２０Ｔ２は支持部１０Ｔ１、１０Ｔ２上のナットＮから大きなストレスを受けることなく膨張することができる。
【００１７】
《収縮時》
収縮時には、ヒューズ２０がヒューズ取付部品１０に対して相対的に収縮すると、ヒューズ２０の両端子２０Ｔ１、２０Ｔ２が支持部１０Ｔ１、１０Ｔ２上のナットＮ−Ｎ間を狭めるように作用するが、本発明によればナット固定部位１０Ｎ１、１０Ｎ２が膨張・収縮方向に動くことができるためナットＮ−Ｎ間がヒューズ２０の収縮に追従して狭まり、したがってヒューズ２０の両端子２０Ｔ１、２０Ｔ２は支持部１０Ｔ１、１０Ｔ２上のナットＮから大きなストレスを受けることなく収縮することができる。
【００１８】
〈本発明に係るヒューズ取付部品の効果〉
以上のように、ヒューズ取付部品１０の長時間の使用により、ヒューズ２０が相対的に膨張・収縮を繰り返しても、本発明によりヒューズ２０の両端子２０Ｔ１、２０Ｔ２は支持部１０Ｔ１、１０Ｔ２のナットＮから大きなストレスを受けずに膨張・収縮できるようになるので、ヒューズ２０の内部エレメントに負荷がかからず、歪が発生しない。したがって、ヒューズ２０の内部エレメントが疲労破断することがなくなる。
【００１９】
〈本発明で設ける空間Ｇの変形例〉
本発明では、ナット固定部位１０Ｎ１、１０Ｎ２のそれぞれに空間Ｇを形成したが、ナット固定部位１０Ｎ１、１０Ｎ２の一方だけに空間Ｇを形成するようにしても、ナット固定部位１０Ｎ１、１０Ｎ２の間隔は変わることができるので、ヒューズ端子間にそれほど大きな変位が起きることが想定されないような場合には、ナット固定部位１０Ｎ１、１０Ｎ２の一方だけに空間Ｇを形成するようにして、製造を簡略化し、コストダウンしてもよい。
【符号の説明】
【００２０】
１０  ヒューズ取付部品
１０Ｎ１、１０Ｎ２  ナット固定部位
１０Ｆ  上方向移動規制部
１０Ｋ  下方向移動規制部
１０Ｔ１、１０Ｔ２  支持部
２０  ヒューズ
２０Ｔ１、２０Ｔ２  ヒューズ端子
Ｔ１、Ｔ２  係止アーム
Ｇ  空間
Ｎ、Ｎ’  本発明で使用するナット
ＮＦ  突出部
【図１】
0005646917.tif 000002
【図２】
0005646917.tif 000003
【図３】
0005646917.tif 000004
【図４】
0005646917.tif 000005